(57)【要約】【課題】   外観品質を良好に保持しつつ、意匠面のスペース効率を向上させることができるリング加飾構造を提供する。【解決手段】  リング加飾部材３０，４０及び５０…には、円環状を呈するリング加飾部の上面側に、テーパ状を呈して、外径方向へ向けて傾斜すると共に、正面視略円環状を呈する意匠面としての装飾面部３１，４１，５１が設けられている。  これらの装飾面部３１，４１，５１には、金属のヘアラインを模したヘアライン装飾部４４が、形成されている。  そして、略中央に位置する大文字板部２０のリング加飾部材４０の装飾面部４１は、高位に位置して、装飾面部４１の下方に、リング加飾部材５０の低位に位置する装飾面部５１の少なくとも、一部が収納される凹部４５が形成されている。【選択図】  図１
2008089463.tif 000002
【特許請求の範囲】
【請求項１】
複数のメータ部の各文字板の周囲に、各々リング状のリング加飾部材が設けられていると共に、前記リング加飾部材に、意匠面が形成されてなるリング加飾構造であって、
前記各リング加飾部材の意匠面を、隣接配置される前記リング加飾部材の高さ方向で相違させて、高位の意匠面の下方に、低位の意匠面を少なくとも一部収納する凹部を形成することを特徴とするリング加飾構造。
【請求項２】
前記隣接配置されるリング加飾部材間には、防振用弾性部材が介在されていることを特徴とする請求項１記載のリング加飾構造。
【請求項３】
前記意匠面には、周方向に沿って延設される複数の凹状溝部又は外に向けて低くなる階段部の上に、金属蒸着膜層が設けられて、金属のヘアラインを模したヘアライン装飾部が形成されていることを特徴とする請求項１又は２記載のリング加飾構造。
【発明の詳細な説明】
【技術分野】
【０００１】
本発明は、主に、自動車等、車両に用いられるリング加飾構造で、特に、意匠性を向上させたリング加飾構造に関するものである。
【背景技術】
【０００２】
従来、図７に示すようなリング加飾構造が知られている（例えば、特許文献１等参照）。
【０００３】
まず、構成から説明すると、この従来のリング加飾構造では、車両の運転席前方に装着されるコンビネーションメータ装置１に、複数のアナログメータ部２，３が、組み合わせられて設けられている。
【０００４】
これらのアナログメータ部２，３には、各々円板状の文字板４，５及びこの文字板４，５の周縁に配設されるリング加飾部材６，７が設けられている。
【０００５】
このうち、前記リング加飾部材６，７の表面側には、周方向に沿って延設される複数の凹状溝部８…の上に、アルミ蒸着膜層９が設けられて、金属のヘアラインを模したヘアライン装飾部１０が形成されている。
【０００６】
次に、この従来のリング加飾構造の作用について説明する。
【０００７】
このように構成された従来のリング加飾構造では、各アナログメータ部２，３の各リング加飾部材６，７が、独立して配置される前記文字板４，５の周囲に設けられて、一定の間隔を置いて、基板等に装着されて、コンビネーションメータ装置１のレイアウトが構成されている。
【特許文献１】特開２００３−４４９５号公報（００２０段落乃至００６７段落、図１，図２，図８）
【発明の開示】
【発明が解決しようとする課題】
【０００８】
このように構成された従来のリング加飾構造では、図７中二点鎖線に示すように、コンビネーションメータ装置１の意匠面のスペース効率を向上させるため、前記リング加飾部材６，７の一部分１１を、重複させるレイアウトを採用する場合がある。
【０００９】
このような場合、一般に一体となるように、前記リング加飾部材６，７の一部分１１が連結された複合リング部材を予め射出成型により形成されて、この一体成型された複合リング部材の外表面をアルミ蒸着膜で、全て覆う製造方法が採用される。
【００１０】
しかしながら、このように、複合リング部材として一体に形成された前記リング加飾部材６，７のうち、重複された一部分１１近傍では、射出成型時に樹脂の付き廻りが良好でない場合や、或いは、アルミ蒸着膜の付着が悪く、前記ヘアライン装飾部１０の微細な線状模様が、潰れて外観品質が低下してしまう虞があった。
【００１１】
そこで、この発明は、外観品質を良好に保持しつつ、意匠面のスペース効率を向上させることができるリング加飾構造を提供することを課題としている。
【課題を解決するための手段】
【００１２】
上記目的を達成するために、請求項１に記載された発明は、複数のメータ部の各文字板の周囲に、各々リング状のリング加飾部材が設けられていると共に、前記リング加飾部材に、意匠面が形成されてなるリング加飾構造であって、前記各リング加飾部材の意匠面を、隣接配置される高さ方向で相違させて、高位の意匠面の下方に、低位の意匠面を少なくとも一部収納する凹部を形成するリング加飾構造を特徴としている。
【００１３】
また、請求項２に記載されたものは、前記隣接配置されるリング加飾部材間には、防振用弾性部材が介在されている請求項１記載のリング加飾構造を特徴としている。
【００１４】
更に、請求項３に記載されたものは、前記意匠面には、周方向に沿って延設される複数の凹状溝部の上に、アルミ蒸着膜層が設けられて、金属のヘアラインを模したヘアライン装飾部が形成されている請求項１又は２記載のリング加飾構造を特徴としている。
【発明の効果】
【００１５】
このように構成された請求項１記載の発明は、前記各リング加飾部材の意匠面を、隣接配置されるリング加飾部材の高さ方向で相違させて、高位の意匠面の下方に形成された凹部に、低位の意匠面が少なくとも一部収納される。
【００１６】
このため、予め前記高位の意匠面と、低位の意匠面とを別部材である各リング加飾部材に各々設けて形成することにより、これらの各リング加飾部材の各意匠面が、上，下方向で重複するように組み合わせて近接配置させても、前記低位の意匠面に設けられた意匠が潰れる等、造形された意匠が変形等することが無く維持されて、良好な外観品質を得られる。
【００１７】
従って、前記複数のリング加飾部材を、重複させて組み合わせることにより、意匠面のスペース効率を良好なものとすることが出来る。
【００１８】
また、請求項２に記載されたものは、前記隣接配置されるリング加飾部材間に介在された前記防振用弾性部材によって、各リング加飾部材間の変位が吸収される。
【００１９】
このため、複数のリング加飾部材を組み合わせても、各リング加飾部材間の干渉により発生する異音が、抑制される。
【００２０】
更に、請求項３に記載されたものは、前記意匠面に形成された前記ヘアライン装飾部が、周方向に沿って延設される複数の凹状溝部又は外に向けて低くなる階段部の上に、金属蒸着膜層が設けられて形成されている。
【００２１】
各リング加飾部材に形成される前記ヘアライン装飾部は、一体に隣接されて形成される従来の複合リング部材のように、微細な線状模様が潰れることなく、各々金属のヘアラインを模して、形成されている。
【００２２】
このため、スペース効率を向上させる為、各意匠面が、上，下方向で重複するように組み合わせられて、近接配置されても、各リング加飾部材の個別のヘアライン装飾部の造形は保持されて、良好な外観品質を発揮させることができる。
【発明を実施するための最良の形態】
【００２３】
次に、図面に基づいて、この発明を実施するための最良の実施の形態のリング加飾構造について説明する。
【００２４】
なお、前記従来例と同一乃至均等な部分については同一符号を付して説明する。
【００２５】
図１乃至図６は、この発明の最良の実施の形態のリング加飾構造を示すものである。
【００２６】
まず、全体の構成について説明すると、この実施の形態のリング加飾構造では、車両の運転席前方に装着されるコンビネーションメータ装置１２には、図示省略のケース内に、図５に示すような回路基板１５と、この回路基板１５の前面側に装着されて、光源としての複数のＬＥＤ１３…が、配列されているガイドライト部材１４とを有している。
【００２７】
このうち、前記回路基板１５には、ムーブメント３１，３１及び３２，３２…が固着されていて、回動駆動する軸部材によって、各メータの指針部材３３，３３及び３４，３４…が、回動可能に軸支されている。
【００２８】
また、このコンビネーションメータ装置１２のガイドライト部材１４の表面側１４ａには、方向指示表示印刷１６、警告灯表示印刷１７、ドット状の調光印刷１８等が、施されている。
【００２９】
更に、このガイドライト部材１４の表面側１４ａには、図６に示すように、大文字板部２０，２１及び小文字板部２２，２２及び２３が設けられている。
【００３０】
このうち、前記大文字板部２０は、文字板としてのダイヤルゲージ２４の裏面側に、透明合成樹脂製の透光性材料からなる基材としてのインサート樹脂成型体２５が、一体に射出成型されることにより、主に構成されている。
【００３１】
また、前記大文字板部２１は、文字板としてのダイヤルゲージ２６の裏面側に、透明合成樹脂製の透光性材料からなる基材としてのインサート樹脂成型体２７が一体に射出成型されることにより、主に構成されている。
【００３２】
更に、前記各小文字板部２２，２２は、文字板としてのダイヤルゲージ２８，２８の裏面側に、透明合成樹脂製の透光性材料からなる基材としてのインサート樹脂成型体２９，２９が一体に射出成型されることにより、主に構成されている。
【００３３】
そして、複数のリング状を呈するリング加飾部材３０，４０及び５０…が、各々前記大文字板部２０，２１、小文字板部２２，２２及び２３の周囲に、設けられている。
【００３４】
これらのリング加飾部材３０，４０及び５０…では、円環状を呈する装飾面部３１，４１及び５１の裏面側から、所定間隔を置いて、一体に突設される複数の係止脚部３５…が、設けられている。
【００３５】
そして、これらの各係止脚部３５…が、前記ガイドライト部材１４の表面側１４ａに形成された固着孔３６…に各々挿通係止されることにより、これらの大文字板部２０，２１及び小文字板部２２，２２の外周縁が覆われた状態で、固定されるように構成されている。
【００３６】
次に、主に、図１に示すようなこのコンビネーションメータ装置１２のリング加飾部材４０，５０の組み合わせ部分を用いて、この実施の形態のリング加飾構造の構成を詳述する。
【００３７】
なお、前記他のリング加飾部材３０，４０又は、５０，５０同士の組み合わせ部分についても、このリング加飾部材４０，５０の組み合わせと略同様に構成されているので、説明を省略する。
【００３８】
すなわち、これらのリング加飾部材３０，４０及び５０…には、円環状を呈する前記リング加飾部材３０，４０，５０の上面側に、図３に示すようなテーパ状を呈して、外径方向へ向けて傾斜すると共に、正面視略円環状を呈する意匠面としての装飾面部３１，４１，５１が設けられている。
【００３９】
また、これらの装飾面部３１，４１，５１には、図４に示すように、予め複数の、外に向けて低くなる階段部４２…が、段状に略一定間隔を有して、略全周に渡り、周方向に沿って延設されている。
【００４０】
そして、これらの階段部４２…の上に、アルミニウム、クロム等の金属蒸着膜層４３が設けられて、金属のヘアラインを模したヘアライン装飾部４４が、形成されている。
【００４１】
更に、前記隣接配置される各リング加飾部材３０，４０及び５０…の装飾面部３１，４１，５１…が、高さ方向で相違するように固定されている。
【００４２】
すなわち、この実施の形態の略中央に位置する大文字板部２０のリング加飾部材４０の装飾面部４１は、図２及び図３に示すように高位に位置して、この装飾面部４１の下方に、前記リング加飾部材５０の低位に位置する装飾面部５１の少なくとも、一部が収納される凹部４５が形成されている。
【００４３】
更に、この実施の形態では、前記隣接配置されるリング加飾部材４０，５０間には、図３に示すように、前記凹部４５外側面と、前記リング加飾部材５０の装飾面部５１の外側面５１ａとの間に、防振用弾性部材４６が、両側から挟持されるように、弾接されて、介在されている。
【００４４】
次に、この実施の形態のリング加飾構造の作用効果について説明する。
【００４５】
このように構成された実施の形態のリング加飾構造では、例えば、図３に示すように、前記リング加飾部材４０の装飾面部４１の高さ位置が、前記リング加飾部材５０の高さ位置よりも高くなるように、凹部４５の外側面に、前記防振用弾性部材４６を介して、前記リング加飾部材５０の外側面５１ａを隣接配置して、この装飾面部５１の重複する一部を、装飾面部４１の下方に潜り込ませている。
【００４６】
従って、図２に示すように、隣接配置される前記各リング加飾部材３０，４０及び５０…の装飾面部３１，４１，及び５１…が、高さ方向で、相違して、固定されている。
【００４７】
このように、高位の意匠面４１の下方に形成された凹部４５に、低位の意匠面５１が少なくとも一部収納されている。
【００４８】
従って、予め前記高位の意匠面４１と、低位の意匠面５１とを別部材である各リング加飾部材４０，５０…に各々設けて形成することにより、これらの各リング加飾部材４０，５０の各意匠面４１，５１が、上，下方向で重複するように組み合わせて近接配置させても、前記低位の意匠面５１に設けられた前記ヘアライン装飾部４４が潰れる等、造形された意匠が変形等することが無く維持されて、良好な外観品質を得られる。
【００４９】
従って、前記複数のリング加飾部材３０，４０，及び５０…を、重複させて組み合わせることにより、意匠面の平面面積が、重複している部分によって減少して、スペース効率を良好なものとすることが出来る。
【００５０】
また、前記隣接配置されるリング加飾部材４０，５０間に介在された前記防振用弾性部材４６によって、各リング加飾部材４０，５０間の変位が吸収される。
【００５１】
このため、複数のリング加飾部材４０，５０、３０，４０、及び５０，５０同士を組み合わせても、各リング加飾部材３０，４０，５０間の干渉により発生する異音が、抑制される。
【００５２】
更に、前記各装飾面部３１，４１，５１に形成された前記ヘアライン装飾部４４…が、周方向に沿って延設される複数の凹状溝部４２…の上に、アルミ蒸着膜層４３が予め設けられることにより形成されている。
【００５３】
このため、各リング加飾部材３０，４０，５０に形成される前記ヘアライン装飾部４４…は、一体に隣接されて形成される従来の複合リング部材のように、微細な線状模様が潰れることなく、各々金属のヘアラインを模した良好な外観品質を有して、形成されている。
【００５４】
このため、スペース効率を向上させる為、各装飾面部３１，４１，５１が、上，下方向で重複するように組み合わせられて、近接配置されても、各リング加飾部材３０，４０，５０の個別のヘアライン装飾部の造形は保持されて、良好な外観品質を発揮させることができる。
【００５５】
以上、図面を参照して、本発明の実施の形態を詳述してきたが、具体的な構成は、この実施の形態に限らず、本発明の要旨を逸脱しない程度の設計的変更は、本発明に含まれる。
【００５６】
即ち、前記実施の形態では、前記意匠面としての各装飾面部３１，４１，５１…に、前記ヘアライン装飾部４４…が、周方向に沿って延設されているが、特に、これに限らず、意匠面に、ディンプル状の凹凸模様を形成する装飾を施したり、シボ模様装飾や、或いは木目調装飾を施す等、どのような加飾が施されていても、高位の意匠面の下方に形成された凹部４５に、低位の意匠面が少なくとも一部収納されるものであるならばよい。
【００５７】
また、この実施の形態では、装飾面部３１，４１，５１には、図４に示すように、予め複数の、外に向けて低くなる階段部４２…が、段状に略一定間隔を有して、略全周に渡り、周方向に沿って延設されているが特にこれに限らず、例えば、前記意匠面に形成された前記ヘアライン装飾部が、周方向に沿って延設される複数の凹状溝部を有して構成される等、どのような意匠面であってもよい。
【図面の簡単な説明】
【００５８】
【図１】この発明の最良の実施の形態のリング加飾構造で、複数のリング加飾部材を組み合わせた様子を説明する正面図である。
【図２】実施の形態のリング加飾構造で、複数のリング加飾部材を組み合わせた様子を説明する下面図である。
【図３】実施の形態のリング加飾構造で、図１中Ａ−Ａ線に沿った位置での断面図である。
【図４】実施の形態のリング加飾構造の要部の構成を説明し、図３中Ｂ部の拡大斜視図である。
【図５】実施の形態のリング加飾構造で、全体の構成を説明するコンビネーションメータ装置の分解斜視図である。
【図６】実施の形態のリング加飾構造で、全体の構成を説明するコンビネーションメータ装置の正面図である。
【図７】従来例のリング加飾構造で、実線で示す大径メータのリング部材を、二点鎖線で示す小径メータのリング材と一体に成型した場合を説明する模式的な正面図である。
【符号の説明】
【００５９】
１２                コンビネーションメータ装置
２０，２１          大文字板部
２２，２２          小文字板部
３０，４０，５０    リング加飾部材
３１，４１，５１    装飾面部（意匠面）
４２                凹状溝部
４３                アルミ蒸着膜層
４４                ヘアライン装飾部
４５                凹部
４６                防振用弾性部材
【図１】
2008089463.tif 000003
【図２】
2008089463.tif 000004
【図３】
2008089463.tif 000005
【図４】
2008089463.tif 000006
【図５】
2008089463.tif 000007
【図６】
2008089463.tif 000008
【図７】
2008089463.tif 000009